(57)【要約】【課題】単純な構造で浮遊塵埃を吸引することが可能な電気掃除機を提供すること。【解決手段】電動送風機５が収容された機構部６及びこの機構部６に対し着脱自在に取り付けられる集塵部７とを有する掃除機本体２と、前記集塵部７と連通するノズル３とを有し、このノズル３を経由して前記集塵部７内に至る主経路１９が形成された電気掃除機１において、前記集塵部７の集塵ケース１０に、前記ノズル３を経ずに前記集塵ケース１０内空間と外気とを連通させる副経路２０を前記主経路１９とは独立して形成したことで、前記掃除機本体２の機構部６の構造を単純且つ小型にすることができる。また、前記副経路２０を、前記集塵部７の集塵ケース１０に形成された貫通孔１４，１５によって構成したことで、前記副経路２０を短くして、前記集塵部７の構造を単純にすることができる。【選択図】図３
2010273974.tif 000002
【特許請求の範囲】
【請求項１】
電動送風機が収容された機構部及びこの機構部に対し着脱自在に取り付けられる集塵部とを有する掃除機本体と、前記集塵部と連通するノズルとを有し、このノズルを経由して前記集塵部に至る主経路が形成された電気掃除機において、
前記集塵部に、前記集塵部内空間と外気とを連通させる副経路を前記主経路とは独立して形成したことを特徴とする電気掃除機。
【請求項２】
前記副経路が、前記集塵部に形成された貫通孔からなることを特徴とする請求項１記載の電気掃除機。
【請求項３】
前記集塵部が、前記貫通孔を開閉自在に閉塞する蓋体を有することを特徴とする請求項２記載の電気掃除機。
【発明の詳細な説明】
【技術分野】
【０００１】
本発明は、電気掃除機に関するものである。
【背景技術】
【０００２】
従来、この種の電気掃除機としては、掃除機本体と、ノズルと、前記掃除機本体に対して取り付けられると共に前記ノズルと連通する集塵部とを有するものが知られている。このような電気掃除機は、床等の被清掃面上の塵埃を気流と共に前記ノズルから吸引した後、気流に含まれる塵埃を前記集塵部内に溜めるように構成されている。しかしながら、このような電気掃除機では、清掃の際に被清掃面から浮き上がった浮遊塵埃を吸引することができないので、清掃終了後、浮遊している塵埃が再び被清掃面に沈降して汚してしまうという問題があった。そこで、従来、掃除機本体に集塵室（本願発明の集塵部に相当する）とは独立した清浄室を設け、この清浄室に外気を吸引するための空気清浄用送風機を集塵用の電動送風機とは別に設け、前記清浄室の排気口に第２の排気フィルタを設けることで、前記清浄室に吸引された外気から塵埃を分離するものが知られている（例えば、特許文献１参照。）。また、ケース体（本願発明の掃除機本体に相当する）に、このケース体の外部とこのケース体に設けられた集塵室内に収納される塵袋とを接続して周辺空気を吸入するための周辺空気吸入手段を設けることで、塵埃を含んだ外気を前記塵袋で分離することができるものも知られている（例えば、特許文献２参照。）。更に、掃除機本体に、この掃除機本体外と電動送風機を連通させる第２の吸気通路を設け、この第２の吸気通路の入口に集塵フィルタを設けることで、塵埃を含んだ外気が前記第２の吸気通路に吸引される際に、前記集塵フィルタにて濾過分離されるものも知られている（例えば、特許文献３参照。）。
【先行技術文献】
【特許文献】
【０００３】
【特許文献１】特許第４０９９７０９号公報
【特許文献２】特許第３７１８１５９号公報
【特許文献３】特開２００７−６８６７６号公報
【発明の概要】
【発明が解決しようとする課題】
【０００４】
しかしながら、特許文献１のような電気掃除機は、前記掃除機本体に、集塵用の送風機とは別に前記空気清浄用送風機を設ける必要があるばかりでなく、集塵用の風路とは別に清浄風路を設けなければならないため、前記掃除機本体の構造が複雑化且つ大型化してしまうという問題があった。また、特許文献１のような電気掃除機は、集塵フィルタとは別に前記第２の排気フィルタを手入れしなければならないという問題もあった。また、特許文献２のような電気掃除機も、吸入ヘッド（本願発明のノズルに相当する）からファンモーターアセンブリ（電動送風機）に至る主吸入経路とは別に、前記ケース体に前記周辺空気吸入手段を設ける必要があるばかりでなく、この周辺空気吸入手段が長く複雑になるため、特許文献１と同様に、前記ケース体が複雑化且つ大型化してしまう虞があった。また、特許文献２のような電気掃除機は、特殊な塵袋を使用しなければならないという問題もあった。更に、特許文献３のような電気掃除機も、前記掃除機本体に、吸気通路とは別に前記第２の吸気通路を設ける必要があるばかりでなく、この第２の吸気通路が長く複雑になるため、特許文献１及び２と同様に、前記掃除機本体の構造が複雑化且つ大型化してしまうという問題があった。また、特許文献３のような電気掃除機は、前記集塵フィルタが剥き出しになっているため、この集塵フィルタに塵埃が付着して見苦しくなるばかりでなく、ごみ集塵部とは別に前記集塵フィルタを手入れしなければならないという問題もあった。
【０００５】
本発明は以上の問題点を解決し、単純な構造で浮遊塵埃を吸引することが可能な電気掃除機を提供することを目的とする。
【課題を解決するための手段】
【０００６】
本発明の請求項１に記載の電気掃除機は、電動送風機が収容された機構部及びこの機構部に対し着脱自在に取り付けられる集塵部とを有する掃除機本体と、前記集塵部と連通するノズルとを有し、このノズルを経由して前記集塵部に至る主経路が形成された電気掃除機において、前記集塵部に、この集塵部内空間と外気とを連通させる副経路を前記主経路とは独立して形成したものである。
【０００７】
また、本発明の請求項２に記載の電気掃除機は、請求項１において、前記副経路が、前記集塵部に形成された貫通孔からなるものである。
【０００８】
更に、本発明の請求項３に記載の電気掃除機は、請求項２において、前記集塵部が、前記貫通孔を開閉自在に閉塞する蓋体を有するものである。
【発明の効果】
【０００９】
本発明の請求項１に記載の電気掃除機は、以上のように構成することにより、前記電動送風機を作動させることで、前記ノズルから塵埃を含んだ気流が吸引され、前記集塵部内で塵埃が分離されると共に、前記集塵部に設けられた貫通孔から浮遊塵埃を含んだ気流が吸引され、前記集塵部内にて分離される。そして、浮遊塵埃を吸引するための副経路が前記集塵部にのみ設けられるので、前記掃除機本体の機構部の構造を単純且つ小型にすることができる。
【００１０】
また、前記副経路が、前記集塵部に形成された貫通孔からなることで、浮遊塵埃を吸引するための副経路を短くすることができるので、前記集塵部の構造を単純にすることができる。
【００１１】
更に、前記集塵部に前記貫通孔を開閉自在に閉塞する蓋体を設けたので、浮遊塵埃の吸引が不要な場合に前記蓋体で前記貫通孔を閉塞することで、前記ノズルからの吸引力が低下しないようにすることができる。
【図面の簡単な説明】
【００１２】
【図１】本発明の一実施形態を示す電気掃除機の正面図である。
【図２】同、側面図である。
【図３】同、蓋体を開いた状態における正面図である。
【図４】同、貫通孔周辺を拡大した概略断面図であり、（ａ）は蓋体を閉じた状態を、（ｂ）は蓋体を開いた状態を示すものである。
【発明を実施するための形態】
【００１３】
以下、本発明の実施形態について、図１乃至図４に基づいて説明する。なお、本実施形態では、便宜上、図１の姿勢に基づいて上下及び前後を規定する。１は本発明の縦型の電気掃除機である。この電気掃除機１は、掃除機本体２と、ノズル３と、操作ハンドル４とを有して構成されている。
【００１４】
前記掃除機本体２は、電動送風機５等が内蔵された機構部６と、この機構部６の下方に着脱自在に取り付けられた集塵部７とを有して構成されている。なお、この集塵部７は、気流中の塵埃を分離して溜めるものであれば、その形式を問わない。また、前記機構部６の上部には、前記操作ハンドル４の棒状体８の下端側を差し込んで着脱自在に固定するための差込部９が設けられている。更に、前記掃除機本体２を構成する前記集塵部７の下部には、前記ノズル３が着脱自在に取り付けられている。
【００１５】
前記集塵部７の集塵ケース１０は、集塵ケース本体１１と、この集塵ケース本体１１の前方に設けられたパネル１２と、これら集塵ケース本体１１とパネル１２の間で摺動可能に設けられた蓋体１３とを有して構成されている。前記集塵ケース本体１１は、複数の貫通孔１４を有する。また、前記パネル１２も、前記貫通孔１４に対応する貫通孔１５を有する。また、前記パネル１２は、このパネル１２の内側に設けられた前記蓋体１３の操作部１６を露出させるための窓部１７を有する。更に、前記蓋体１３は、前記貫通孔１４と貫通孔１５の間で、これらを開閉可能に閉塞するシャッター部１８を有する。これによって、前記ノズル３を経由して前記集塵ケース１０に至る主経路１９とは別に、前記貫通孔１４と貫通孔１５によって、これらの貫通孔１４，１５を経由して前記集塵ケース１０の外部空間と前記集塵ケース１０の内部空間を接続する副経路２０が形成される。なお、前記貫通孔１４，１５は、前記副経路２０の総断面積が前記主経路１９の断面積よりも小さくなるように形成されている。
【００１６】
次に、本実施形態の作用について説明する。まず使用者は、前記蓋体１３の操作部１６を操作して、図４（ａ）のように、前記貫通孔１４と貫通孔１５とが前記シャッター部１８によって遮断された（前記副経路２０が形成されない）状態、或いは図４（ｂ）のように、前記貫通孔１４と貫通孔１５とが連通した（前記副経路２０が形成された）状態の何れかを選択する。図４（ａ）のように、前記副経路２０が形成されない状態で、前記掃除機本体２の機構部６に設けられた図示しない操作スイッチを操作すると、前記電動送風機５が作動し、前記ノズル３から塵埃を含んだ気流が前記主経路１９を経由して前記集塵部７内に吸引され、この集塵部７で気流から塵埃が分離されて溜められる。この場合、前記主経路１９のみが形成され、前記副経路２０が形成されないので、前記主経路１９を経由して吸引される塵埃、即ち被清掃面上の塵埃を吸引する力が低下せず、この塵埃を強力に吸引することができる。建物の窓や戸を開いた状態で床面等を清掃する場合等、床面等の塵埃を浮遊させることがあったとしても、外気流によって浮遊塵埃が室外に排出されるので、吸引力を確保する観点から、このように前記主経路１９のみが形成された状態で前記電気掃除機１を使用するのが望ましい。
【００１７】
一方、図４（ａ）の状態から、前記蓋体１３を上方に移動させ、この蓋体１３のシャッター部１８を開くことで、図４（ｂ）のように、前記貫通孔１４と貫通孔１５とが連通して、前記副経路２０が形成される。この状態で、前記掃除機本体２の機構部６に設けられた図示しない操作スイッチを操作すると、前記電動送風機５が作動し、前記ノズル３から塵埃を含んだ気流が前記主経路１９を経由して前記集塵部７内に吸引され、この集塵部７で気流から塵埃が分離されて溜められる。同時に、前記貫通孔１５から、浮遊塵埃を含んだ気流が前記副経路２０を経由して前記貫通孔１４から前記集塵部７内に吸引され、この集塵部７で気流から塵埃が分離されて溜められる。従って、この場合、前記副経路２０を経由して外気が吸引される分、前記主経路１９を経由して吸引される塵埃、即ち被清掃面上の塵埃を吸引する力が低下するものの、清掃の際に被清掃面から浮き上がった浮遊塵埃を吸引することができるので、清掃終了後に、浮遊している塵埃が再び被清掃面に沈降して汚してしまうという問題が生じないようにすることができる。建物の窓や戸を閉じた状態で床面等を清掃する場合等、床面等の清掃によって浮遊させてしまった塵埃が室外に排出されないので、浮遊塵埃の沈降による被清掃面の再汚染を防止するという観点から、前記シャッター部１８を開いて前記副経路２０を形成した状態で前記電気掃除機１を使用するのが望ましい。
【００１８】
なお、前記副経路２０を形成する前記貫通孔１４，１５は、それぞれ前記集塵部７の集塵ケース１０を構成する前記集塵ケース本体１１と前記パネル１２にのみ形成されているので、従来の構造に比べて前記掃除機本体２の機構部６の構造を単純且つ小型にすることができるばかりでなく、浮遊塵埃を吸引するための前記副経路２０を短くすることができるので、前記集塵部７の構造も単純にすることができる。
【００１９】
以上のように本発明は、電動送風機５が収容された機構部６及びこの機構部６に対し着脱自在に取り付けられる集塵部７とを有する掃除機本体２と、前記集塵部７と連通するノズル３とを有し、このノズル３を経由して前記集塵部７に至る主経路１９が形成された電気掃除機１において、前記集塵部７の集塵ケース１０に、前記ノズル３を経ずに前記集塵ケース１０内空間と外気とを連通させる副経路２０を前記主経路１９とは独立して形成したことで、前記掃除機本体２の機構部６の構造を単純且つ小型にすることができるものである。
【００２０】
また、前記副経路２０を、前記集塵部７の集塵ケース１０に形成された貫通孔１４，１５によって構成したことで、浮遊塵埃を吸引するための前記副経路２０を短くすることができるので、前記集塵部７の構造を単純にすることができるものである。
【００２１】
更に、前記集塵部７に、前記貫通孔１４，１５を開閉自在に閉塞する蓋体１３を設けたので、浮遊塵埃の吸引が不要な場合に前記蓋体１３で前記貫通孔１４，１５を閉塞することで、前記ノズル３からの吸引力が低下しないようにすることができるものである。
【００２２】
なお、本発明は以上の実施形態に限定されるものではなく、発明の要旨の範囲内で種々の変形実施が可能である。例えば、上記実施形態では、電気掃除機は縦型の電気掃除機であるが、横型の電気掃除機、或いは手持ち型の電気掃除機（この場合は集塵部の一部がノズルに相当する場合もあり得る）に採用しても良い。また、前述したように、前記集塵部は、気流中の塵埃を分離して溜めるものであれば、その形式を問わないので、サイクロン式又はフィルタ式の何れの形式であっても良い。
【符号の説明】
【００２３】
１  電気掃除機
２  掃除機本体
３  ノズル
５  電動送風機
６  機構部
７  集塵部
１３  蓋体
１４  貫通孔
１５  貫通孔
１９  主経路
２０  副経路
【図１】
2010273974.tif 000003
【図２】
2010273974.tif 000004
【図３】
2010273974.tif 000005
【図４】
2010273974.tif 000006